(57)【要約】【課題】階段に設けられる照明装置において、歩行者が最も注意を払うべき階段の昇降口が、階段の中間の段等と明瞭に区別して認識され、足の踏み外し等を防止する。【解決手段】階段１は、上部階のフロアに連続する上部踏面２１と、下部階のフロアに連続する下部踏面２２と、その間に配置される段踏面３１〜３８を備える。上部踏面２１に近接した３段の段踏面３１〜３３に上部案内ライト６１〜６３が埋設され、下部踏面２２に近接した３段の段踏面３６〜３８に下部案内ライト７１〜７３が埋設される。上部階から下りる歩行者は、上部踏面２１に近接した段踏面３１〜３３が際立って照明されているので、階段の降口を容易に認識し、これら段踏面に安全に足を踏み出して下りることができる。また、歩行者は、降口付近の段を安全に下りることによって、階段の勾配等を認識することができ、続く照明されていない段踏面３４、３５についても安全に下りることができる。【選択図】図１
2007059223.tif 000002
【特許請求の範囲】
【請求項１】
上部階のフロアに連続する上部踏面と、下部階のフロアに連続する下部踏面と、前記上部踏面と前記下部踏面間に配置される段踏面とを備える階段に設けられる照明装置であって、
前記上部踏面に近接した段踏面の近傍、又は階段に付設された手摺りに設置され、該段踏面を照明する上部案内ライトと、
前記下部踏面に近接した段踏面の近傍、又は階段に付設された手摺りに設置され、該段踏面を照明する下部案内ライトとを備えたことを特徴とする階段の照明装置。
【請求項２】
前記上部案内ライト及び前記下部案内ライトが、共に前記段踏面に直交する側壁に設けられることを特徴とする請求項１に記載の階段の照明装置。
【請求項３】
前記上部踏面及び／又は前記下部踏面に、階段の昇降方向に直交する方向に延び階段とフロアとの境界を示す境界表示ライトがさらに設けられることを特徴とする請求項１又は請求項２に記載の階段の照明装置。
【請求項４】
前記境界表示ライトが、前記段踏面に降りて行くことが許可された前記上部踏面及び／又は前記段踏面に上がって行くことが許可された前記下部踏面にのみ設けられることを特徴とする請求項３に記載の階段の照明装置。
【発明の詳細な説明】
【技術分野】
【０００１】
本発明は、階段の照明装置に関し、詳しくは階段の上部と下部を重点的に照明して、歩行者が階段の昇降口と全体を容易に把握できるようにした階段の照明装置に関する。
【背景技術】
【０００２】
階段の昇口と各段と降口に配置された各踏み板の近傍に発光ダイオードを備え、任意の段の踏み板が踏まれた場合、該段より前及び後に位置する一つ以上の段に配置された発光ダイオードが点灯され、歩行者が次に踏むべき踏み板の位置を確実に知ることができる階段の照明装置が知られている（例えば、特許文献１参照）。
【特許文献１】特開２００３−２０８８０８号公報
【発明の開示】
【発明が解決しようとする課題】
【０００３】
階段の照明装置は、上記特許文献１に記載された装置以外にも種々のものが知られているが、いずれも階段の全体を明るく照明するものであったり、各段の踏み板の暗くなりがちな特定の部分を照明するものであった。
【０００４】
ところが、実際に階段を昇降する場合に、足を踏み外したり躓いたりする危険があって歩行者が最も注意を払わなければならない場所は、階段の昇降口である。つまり、階段を下りる場合には、上部階のフロアから段差のある階段部分へ足を下ろして、段に沿って二、三歩足を運ぶまでが歩行者にとって最も注意を要するところである。歩行者は段に沿って二、三歩足を運ぶことによって段の勾配や間隔等を感じ取ることができ、その後の下りは同じペースで歩を進めればよいので、危険性は少ない。
【０００５】
また、階段の下端では、逆に、それまで段に沿って下ろしてきた歩を止めなければならず、これをスムーズに行うためには、階段を下りている途中の歩行者が、目視によって明瞭に階段の下端（終端）を認識できる必要がある。
【０００６】
歩行者が下部階から階段を上がっていく場合も同様に、下部階のフロアから段差のある階段部分へ足を上げ、段に沿って二、三歩足を運ぶまでが歩行者にとって最も注意を要するところである。歩行者は段に沿って二、三歩足を運ぶことによって段の勾配や間隔等を感じ取ることができ、その後の上りは同じペースで歩を進めればよいので、危険性は少ない。
【０００７】
また、階段の上端では、逆に、それまで段に沿って上げてきた足を止めなければならず、これをスムーズに行うためには、階段を上がっている途中の歩行者が、目視によって明瞭に階段の上端（終端）を認識できる必要がある。
【０００８】
上記の観点からすると、階段の全体が照明される従来の照明装置では、歩行者の注意が分散してしまい、歩行者が階段の昇降口で足を踏み外したり躓いたりする危険性を充分に減少させることが困難である。
【０００９】
また、特許文献１に記載の照明装置では、階段の昇降口ではなく、歩行者が踏む段の前後の段が歩行者の移動に追従して照明されるだけであり、例えば、歩行者が上部階から階段を下りようとする場合、階段の下端が照明されないことから、歩行者は階段の途中で階段の下端を目視によって明瞭に認識することができず、現在の位置から階段下端までの距離を明瞭に把握し難く、歩行者は階段の降り口で躓いたり転倒する危険性があり、充分に安全性が図られているとは言えない。
【００１０】
そこで、本発明は、歩行者が最も注意を払うべき階段の昇降口が、階段の中間の段等と明瞭に区別して認識され、歩行者の足の踏み外しや躓き等を防止することが可能であって安全性の高い階段の照明装置を提供することを目的とする。
【課題を解決するための手段】
【００１１】
上記目的を達成するために請求項１の発明は、上部階のフロアに連続する上部踏面と、下部階のフロアに連続する下部踏面と、前記上部踏面と前記下部踏面間に配置される段踏面とを備える階段に設けられる照明装置であって、前記上部踏面に近接した段踏面の近傍、又は階段に付設された手摺りに設置され、該段踏面を照明する上部案内ライトと、前記下部踏面に近接した段踏面の近傍、又は階段に付設された手摺りに設置され、該段踏面を照明する下部案内ライトとを備えたことを特徴とする。
【００１２】
請求項２の発明は、請求項１の発明において、前記上部案内ライト及び前記下部案内ライトが、共に前記段踏面に直交する側壁に設けられることを特徴とする。
【００１３】
請求項３の発明は、請求項２の発明において、前記上部踏面及び／又は前記下部踏面に、階段の昇降方向に直交する方向に延び階段とフロアとの境界を示す境界表示ライトがさらに設けられることを特徴とする。
【００１４】
請求項４の発明は、請求項３の発明において、前記境界表示ライトが、前記段踏面に降りて行くことが許可された前記上部踏面及び／又は前記段踏面に上がって行くことが許可された前記下部踏面にのみ設けられることを特徴とする。
【発明の効果】
【００１５】
請求項１の発明によれば、歩行者が最も注意を払うべき階段の昇降口が、階段の中間の段等と明瞭に区別して認識され、歩行者の足の踏み外しや躓き等を防止することが可能であり、階段の安全性が向上する。
【００１６】
請求項２の発明によれば、歩行者が最も注意を払うべき階段の昇降口が、階段の中間の段等と明瞭に区別して認識され、歩行者の足の踏み外しや躓き等を防止することが可能であり、安全性が向上する上に、段踏面に種々の規制がある場合であっても、それらの規制とは無関係に案内ライトの設置が容易である。
【００１７】
請求項３の発明によれば、歩行者が最も注意を払うべき階段の昇降口が、階段の中間の段等と明瞭に区別して認識され、歩行者の足の踏み外しや躓き等を防止することが可能であり、安全性が向上する上に、上部階及び下部階を通行する歩行者からも階段の昇降口を明瞭に認識することができ、階段の昇降口における安全性をより高めることができる。
【００１８】
請求項４の発明によれば、歩行者が最も注意を払うべき階段の昇降口が、階段の中間の段等と明瞭に区別して認識され、歩行者の足の踏み外しや躓き等を防止することが可能であり、安全性が向上する上に、歩行者の進行方向を秩序付けることができ、階段の昇降口における安全性をより高めることができる。
【発明を実施するための最良の形態】
【００１９】
以下、本発明の第１の実施形態に係る照明装置について図１を参照して説明する。まず、照明装置が設けられる階段の構造について説明する。階段１は、上部階のフロアに連続し比較的大面積の上部踏面２１と、下部階のフロアに連続し比較的大面積の下部踏面２２と、上部踏面２１と下部踏面２２との間に配置される８段の段踏面３１、３２、３３、３４、３５、３６、３７、３８と、段踏面３１〜３８の両側において段踏面に直交する側壁４１、４２と、段踏面３１〜３８の傾斜に沿って両側壁４１、４２に付設された手摺り５１、５２を備えている。
【００２０】
そして、第１の実施形態では、上部踏面２１に近接した第１、第２及び第３の段踏面３１、３２、３３の右端寄りに、各段踏面に埋没された形で上部案内ライト６１、６２、６３が設けられ、下部踏面２２に近接した第６、第７及び第８の段踏面３６、３７、３８の右端寄りに、各段踏面に埋没された形で下部案内ライト７１、７２、７３が設けられる。
【００２１】
上部案内ライト６１、６２、６３と下部案内ライト７１、７２、７３は、同一の構造であり、代表として図８に上部案内ライト６１の構造を示す。上部案内ライト６１は、段踏面３１に埋設されるボックス筐体１０１と、ボックス筐体１０１の上部に固定された２枚の強化ガラス１０２、１０３と、ボックス筐体１０１の内部において支持台１０４を介して固定されたＬＥＤユニット１０５と、ＬＥＤユニット１０５からのリード線１０６を固定するリード線押さえ１０７等を備えている。リード線１０６を介して不図示の電源からＬＥＤユニット１０５に電力が供給されるとＬＥＤ１０８が発光し、強化ガラス１０２、１０３を通して照明されるように構成されている。
【００２２】
なお、階段が設置される場所が屋外である場合には、各案内ライト６１、６２、６３、７１、７２、７３を太陽電池によって給電されるものとしてもよい。図９に太陽電池付きの案内ライト１６１の構造を示す。図８に示した案内ライト６１と同一の構造部分には同一番号を付して説明を省略する。太陽電池付きの案内ライト１６１は、強化ガラス１０２、１０３の下側の両端に２枚の太陽電池パネル１１１、１１２を備え、太陽電池パネルにおいて発生された電気は、一方の太陽電池パネル１１１の下方に設けられた蓄電池１１３に蓄えられるようになっている。この太陽電池付きの案内ライト１６１を用いる場合は、電気の供給は不要であるし、電源ケーブル等の給電設備を付設する必要がなく、設備コストを安くできる。
【００２３】
次に、第１の実施形態の照明装置を備えた階段１を歩行者が昇降する場合について説明する。今、歩行者が上部階から下部階へと階段を下りる場合を想定すると、歩行者は、上部案内ライト６１、６２、６３が発光することによって上部踏面２１に近接した第１から第３段目までの段踏面３１、３２、３３を明瞭に視認することができ、その段踏面３１、３２、３３に安全かつ確実に足を下ろしていくことができる。
【００２４】
第３の段踏面３３まで歩を進めた歩行者は、階段１の勾配や段踏面３１〜３３の間隔（必要な歩幅）等を感じ取ることができ、第４、第５の段踏面３４、３５については、同一のペースで足を下ろしていけばいいので、第４、第５の段踏面３４、３５が明るく照明されていなくても、安全に下りることができる。
【００２５】
そして、歩行者は、下部案内ライト７１、７２、７３が発光することによって下部踏面２２に近接した第６から第８段目までの段踏面３６、３７、３８を明瞭に認識することができ、階段１の終端を確実に認識できて、最後の段踏面（第８の段踏面）３８から下部踏面２２へと安全かつ確実に足を下ろしていくことができる。
【００２６】
なお、本実施形態の照明装置は、上部案内ライト６１、６２、６３と下部案内ライト７１、７２、７３が共に３段の段踏面３１〜３３、３６〜３８に亘って設けられた例であるが、上部案内ライトと下部案内ライトは、共に２段の段踏面３１、３２、３７、３８に亘って設けられてもよいし、上部踏面２１及び下部踏面２２に近接する４段の段踏面３１〜３４、３５〜３８に設けられてもよい。また、より多くの段踏面を備えた長い階段の場合には、上部案内ライト及び下部案内ライトによって、それぞれ５つ以上の段踏面が照明される構成であってもよい。
【００２７】
本実施形態のように８つの段踏面３１〜３８を備える階段１の場合、上部案内ライトと下部案内ライトのそれぞれが２段の段踏面３１、３２、３７、３８を照明する構成とすると、第３から第６の段踏面３３、３４、３５、３６が、案内ライトによって照明されない段踏面となる。また、上部案内ライトと下部案内ライトのそれぞれが４段の段踏面３１、３２、３３、３４、３５、３６、３７、３８を照明する構成とすると、全ての段踏面が案内ライトによって照明されることになる。
【００２８】
上部案内ライト及び下部案内ライトによって照明される段踏面の数は、それぞれ３段が適当である。案内ライトが設けられる段踏面が２である場合には、設備コストは安くなるが、階段の昇口又は降口において歩行者が明瞭に視認できる段数が少なくなることによって、歩行者が安全に足を運べる段数が少なくなり、その分安全性が低下する。また、案内ライトが設けられる段踏面が４である場合には、歩行者が確実に足を運べる段数が多くなり、その分安全性が高められるが、設備コストが増大する。一方、歩行者は、段差がある段踏面３１〜３８に沿って３歩程度の歩を進めれば、階段の勾配や、段踏面の間隔（必要な歩幅）等を感じ取ることができる。
【００２９】
次に、第２の実施形態に係る照明装置について、図２を参照して説明する。第２の実施形態の照明装置が設けられる階段１の構造は、第１の実施形態における階段と同一である。そして、第２の実施形態では、上部踏面２１に近接した第１、第２及び第３の段踏面３１、３２、３３の右端寄りに、各段踏面に固定されて反射面２６１ａ、２６２ａ、２６３ａが設けられ、これら反射面２６１ａ〜２６３ａに対向する手摺り５２の位置に上部案内ライト２６１、２６２、２６３が設けられる。また、下部踏面２２に近接した第６、第７及び第８の段踏面３６、３７、３８の右端寄りに、各段踏面に固定されて反射面２７１ａ、２７２ａ、２７３ａが設けられ、これら反射面２７１ａ〜２７３ａに対向する手摺り５２の位置に下部案内ライト２７１、２７２、２７３が設けられる。反射面２６１ａ〜２６３ａ、２７１ａ〜２７３ａは、光の反射率が高い強化ガラス、金属板等で構成することができるし、段踏面３１〜３３、３６〜３８に直接高反射率の塗料を塗布することによって構成することもできる。
【００３０】
そして、上部案内ライト２６１〜２６３が点灯されることによって、第１、第２及び第３の段踏面３１〜３３の反射面２６１ａ〜２６３ａが照明され、歩行者によって第１、第２及び第３の段踏面３１〜３３の位置が明瞭に視認される。同様に下部案内ライト２７１〜２７３が点灯されることによって、第６、第７及び第８の段踏面３６〜３８の反射面２７１ａ〜２７３ａが照明され、歩行者によって第６、第７及び第８の段踏面３６〜３８の位置が明瞭に視認される。
【００３１】
第２の実施形態の照明装置を備えた階段１についても、第１の実施形態と同様に、最も注意を要する階段の下端付近と上端付近が重点的に照明されているので、歩行者は上部踏面２１から足を踏み外すとか、最下段の段踏面３８に躓く等の失敗をすることなく安全に階段を昇降することができる。
【００３２】
なお、段踏面３１〜３８自体の光の反射率が高い場合には、段踏面３１〜３８に反射面を設ける必要がない。また、上部案内ライト２６１〜２６３及び下部案内ライト２７１〜２７３の取り付け位置も手摺り５２ではなく、第１、第２、第３の段踏面３１〜３３に対向する側壁４２上の位置、及び第６、第７、第８の段踏面３６〜３８に対向する側壁４２上の位置であってもよい。この場合には、上部案内ライト２６１〜２６３及び下部案内ライト２７１〜２７３を反射面２６１ａ〜２６３ａ及び２７１ａ〜２７３ａに近接して設けることができるので、段踏面３１〜３３、３６〜３８をより明るく照明することができる。
【００３３】
次に、第３の実施形態に係る照明装置について図３を参照して説明する。第３の実施形態の照明装置が設けられる階段１の構造は、第１の実施形態における階段と同一である。そして、第３の実施形態の照明装置は、第１の実施形態の照明装置と同様の構造に加え（同一構造部分に同一の番号を付すことによって説明を省略）、上部踏面２１と下部踏面２２に、階段１と上部階及び下部階のフロアとの境界を示す境界表示ライト３０１、３０２を備えている。
【００３４】
境界表示ライト３０１、３０２は、図８に示された上部案内ライト６１と同様の構造を有し、図３に示すように、階段の昇降方向に直交する方向に長く延びた長方形に形成されている。
【００３５】
この第３の実施形態の場合には、第１の実施形態と同様に、段踏面３１〜３３に設けられた上部案内ライト６１〜６３と、段踏面３６〜３８に設けられた下部案内ライト７１〜７３によって歩行者が安全に階段１を昇降できる上に、案内ライト６１〜６３、７１〜７３とは明確に異なる形状の境界表示ライト３０１、３０２によって、それぞれ上部踏面２１から段踏面３１への降口及び下部踏面２２から段踏面３８への昇口が表示されるので、上部階と下部階を歩行している歩行者が明瞭に階段１の昇降口を視認でき、上部階を歩行している歩行者が階段側（段踏面３１）へ足を踏み外したり、下部階を歩行している歩行者が最下段の段踏面３８に躓いたりする危険性が低減される。
【００３６】
また、境界表示ライト３０１、３０２と各案内ライト６１〜６３、７１〜７３が図３における右端寄りに配置され、一方の手摺り５２に近接されて配置されるので、歩行者が境界表示ライト３０１、３０２と各案内ライト６１〜６３、７１〜７３に沿って進むことによって歩行者が手摺り５２へ誘導され、歩行者は手摺りを手繰りながら階段１を昇降するので安全性がさらに高まる。
【００３７】
次に、第４の実施形態に係る照明装置について図４を参照して説明する。第４の実施形態の照明装置が設けられる階段１の構造は、第１の実施形態における階段１と同一であるが、歩行者の進行方向が左側通行に規制された階段である。歩行者の進行方向は、図４中の矢印によって示す。第４の実施形態の照明装置は、上部踏面２１に近接した第１、第２及び第３の段踏面３１、３２、３３の両側に埋設された上部案内ライト４０１〜４０３、４１１〜４１３と、下部踏面２２に近接した第６、第７及び第８の段踏面３６、３７、３８の両側に埋設された下部案内ライト４０４〜４０６、４１４〜４１６と、上部踏面２１の右端寄りに埋設された境界表示ライト４２１と、下部踏面２２の左端寄りに埋設された境界表示ライト４２２とから構成される。
【００３８】
階段１への昇降口が境界表示ライト４２１、４２２によって照明されるので、上部階から階段１を下りる歩行者は、階段１に向かって左側へ誘導され、下部階から階段１を上がる歩行者は、階段１に向かって左側へ誘導される。従って、上部階と下部階を歩行している歩行者が階段１の昇降口において上部踏面２１から足を踏み外すとか、最下段の段踏面３８に躓く等の危険性が低減されると共に、階段１に対して正しい昇降口の位置（向かって左側）に誘導され、歩行者の流れが正しく左側通行に規制される。歩行者が左側通行に規制されることによって、歩行者同士の衝突、接近、交錯等が生じ難くなるので、さらに安全性が高まる。右側通行に規制された階段の場合には、図４において、上部踏面２１の左端寄りに境界表示ライト４２１が設けられ、下部踏面２２の右端寄りに境界表示ライト４２２が設けられる。
【００３９】
次に、第５の実施形態に係る照明装置について図５を参照して説明する。第５の実施形態の照明装置が設けられる階段１の構造は、第１の実施形態における階段１と同一であり、歩行者の進行方向が第４の実施形態と同様に左側通行に規制された階段である。歩行者の進行方向は、図５中の矢印によって示す。
【００４０】
また、第５の実施形態の照明装置は、第４の実施形態の照明装置と同様の構造に加え（同一構造部分に同一の番号を付すことによって説明を省略）、上部踏面２１の左端に埋設された境界表示ライト５０１と、下部踏面２２の右端に埋設された境界表示ライト５０２を備える。そして、歩行者が階段１から離れる位置に相当する上部踏面２１の左側の境界表示ライト５０１と、下部踏面２２の右側の境界表示ライト５０２が、歩行者の注意を喚起するように赤色に発光するものに構成され、残りの境界表示ライト４２１、４２２と案内ライト４０１〜４０３、４１１〜４１３、４０４〜４０６、４１４〜４１６が白色に発光するものに構成される。
【００４１】
従って、歩行者は、白色の境界表示ライト４２１、４２２とそれに続く白色の案内ライト４１１〜４１３、４０６〜４０４によって誘導されて階段の正しい昇降口から階段１を下り（矢印Ａ）、又は上がり（矢印Ｂ）、赤色の境界表示ライト５０２、５０１によって明瞭に階段１の終端を認識することができ、安全に階段の段踏面３８、３１から離脱して下部階又は上部階へと進む（矢印Ｃ、矢印Ｄ）ことができる。また、第４の実施形態と同様に、歩行者の流れが正しく左側通行に規制され、歩行者同士の衝突、接近、交錯等が生じ難くなるので、さらに安全性が高まる。階段１からの離脱位置に当たる境界表示ライト５０１及び５０２の発光色は、赤色に限らず他の色であってもよく、他の境界表示ライト４２１、４２２及び案内ライト４０１〜４０６、４１１〜４１６との区別が明瞭になる色であればよい。
【００４２】
次に、第６の実施形態に係る照明装置について図６を参照して説明する。第６の実施形態の照明装置が設けられる階段１の構造は、第１の実施形態における階段１と同一である。そして、第６の実施形態の照明装置は、上部踏面２１に近接した第１、第２及び第３の段踏面３１、３２、３３の近傍の側壁４２に埋設された上部案内ライト６０１、６０２、６０３と、下部踏面２２に近接した第６、第７及び第８の段踏面３６、３７、３８の近傍の側壁４２に埋設された下部案内ライト６０４、６０５、６０６と、上部踏面２１の近傍の側壁４２に埋設された境界表示ライト６１１と、下部踏面２２の近傍の側壁４２に埋設された境界表示ライト６１２から構成される。上部案内ライト６０１〜６０３、下部案内ライト６０４〜６０６及び境界表示ライト６１１、６１２は、それぞれ図８に示した上部案内ライト６１と同様の構造を有する。
【００４３】
この第６の実施形態の階段１において、歩行者は、前述の第３の実施形態の階段１と同様にして階段１を安全に昇降できる上に、各案内ライト６０１〜６０６と境界表示ライト６１１、６１２が、踏面２１、２２及び段踏面３１〜３８ではなく側壁４２に設けられるので次のような利点がある。
【００４４】
すなわち、階段１の段踏面３１〜３８は、特に屋外に設置される階段１において耐過重性やスリップに対する安全性の面で種々の規制がある場合がある。その場合でも、第６の実施形態であれば、各案内ライト６０１〜６０６と境界表示ライト６１１、６１２は側壁４２に設けられるので、それらの段踏面に関する規制とは無関係に比較的自由に設置できる。また、段踏面３１〜３８も規制の範囲内で自由に製作することができる。つまり、例えば、仮に上述のような規制のもとで段踏面３１〜３８に案内ライトを設ける場合には、案内ライトの表面の強化ガラスの強度を相当程度大きなものにしなければならない等の問題が生じるが、各案内ライト６０１〜６０６と境界表示ライト６１１、６１２を側壁４２に設ける場合には、そのような問題を回避することができる。
【００４５】
なお、図７に示されたように、階段１の昇降口を明瞭に示すための境界表示ライト６１１、６１２のみは、側壁４２に設けず、それぞれ上部踏面２１と下部踏面２２に設けるようにしてもよい。この場合には、図６に示された階段１よりも階段の昇降口がより明瞭に歩行者に認識されるので、安全性がさらに高まる。
【図面の簡単な説明】
【００４６】
【図１】本発明の第１の実施形態に係る照明装置を設置した階段を斜め上方から見た斜視図。
【図２】同第２の実施形態に係る照明装置を設置した階段を斜め上方から見た斜視図。
【図３】同第３の実施形態に係る照明装置を設置した階段を斜め上方から見た斜視図。
【図４】同第４の実施形態に係る照明装置を設置した階段を斜め上方から見た斜視図。
【図５】同第５の実施形態に係る照明装置を設置した階段を斜め上方から見た斜視図。
【図６】同第６の実施形態に係る照明装置を設置した階段を斜め上方から見た斜視図。
【図７】同第６の実施形態に係る照明装置の変形例を示す階段の斜視図。
【図８】（ａ）は、案内ライトの平面図、（ｂ）は、同案内ライトの一部断面側面図、（ｃ）は、同案内ライトが埋設された状態を示す側断面図。
【図９】（ａ）は、太陽電池付き案内ライトの平面図、（ｂ）は、同太陽電池付き案内ライトの一部断面側面図。
【符号の説明】
【００４７】
１  階段
２１  上部踏面
２２  下部踏面
３１〜３８  段踏面
４１、４２  側壁
５１、５２  手摺り
６１〜６３  上部案内ライト
７１〜７３  下部案内ライト
２６１〜２６３  上部案内ライト
２７１〜２７３  下部案内ライト
３０１、３０２  境界表示ライト
４０１〜４０３  上部案内ライト
４０４〜４０６  下部案内ライト
４１１〜４１３  上部案内ライト
４１４〜４１６  下部案内ライト
４２１、４２２  境界表示ライト
５０１、５０２  境界表示ライト
６０１〜６０３  上部案内ライト
６０４〜６０６  下部案内ライト
６１１、６１２  境界表示ライト
【図１】
2007059223.tif 000003
【図２】
2007059223.tif 000004
【図３】
2007059223.tif 000005
【図４】
2007059223.tif 000006
【図５】
2007059223.tif 000007
【図６】
2007059223.tif 000008
【図７】
2007059223.tif 000009
【図８】
2007059223.tif 000010
【図９】
2007059223.tif 000011